(57)【要約】      （修正有）【課題】割引情報が反映された駐車料金をＥＴＣシステムによりキャッシュレス決済することができる管理サーバを提供する。【解決手段】管理サーバ１１は、ＥＴＣカード番号をユーザデータベースに登録するユーザ登録部と、入場時刻を生成してＷＣＮを入場時刻に紐付けてユーザデータベースに登録する入場時刻登録部と、ショップポイントから駐車場の利用料金の割引に関するサービスポイントを計算して、サービスポイントをＥＴＣカード番号に紐付けてユーザデータベースに登録するサービスポイント計算部と、駐車場の出場口に設けられた出場ＥＴＣ路側器からＷＣＮとＥＴＣカード番号を含む出場ＩＤを受信した場合に、出場時刻を生成して、出場ＩＤに含まれるＷＣＮに紐付けられた入場時刻と、出場時刻と、出場ＩＤに含まれるＥＴＣカード番号に紐付けられたサービスポイントに基づいて決済情報を生成する決済情報生成部を含む。【選択図】図２
2020035255.tif 000002
【特許請求の範囲】
【請求項１】
携帯端末からＥＴＣカード番号を含むユーザ登録要求を受信した場合に、前記ＥＴＣカード番号をユーザデータベースに登録するユーザ登録部と、
駐車場の入場口に設けられた入場ＥＴＣ路側器からＷＣＮを含む入場ＩＤを受信した場合に、入場時刻を生成して前記ＷＣＮを前記入場時刻に紐付けて前記ユーザデータベースに登録する入場時刻登録部と、
店舗端末から前記ＥＴＣカード番号とショップポイントを含むサービス情報を受信した場合に、前記ショップポイントから前記駐車場の利用料金の割引に関するサービスポイントを計算して、前記サービスポイントを前記ＥＴＣカード番号に紐付けて前記ユーザデータベースに登録するサービスポイント計算部と、
駐車場の出場口に設けられた出場ＥＴＣ路側器から前記ＷＣＮと前記ＥＴＣカード番号を含む出場ＩＤを受信した場合に、出場時刻を生成して、前記出場ＩＤに含まれる前記ＷＣＮに紐付けられた前記入場時刻と、前記出場時刻と、前記出場ＩＤに含まれる前記ＥＴＣカード番号に紐付けられたサービスポイントに基づいて決済情報を生成する決済情報生成部を含む
管理サーバ。
【請求項２】
携帯端末からＥＴＣカード番号と代替ＩＤを含むユーザ登録要求を受信した場合に、前記ＥＴＣカード番号を前記代替ＩＤに紐付けてユーザデータベースに登録するユーザ登録部と、
駐車場の入場口に設けられた入場ＥＴＣ路側器からＷＣＮを含む入場ＩＤを受信した場合に、入場時刻を生成して前記ＷＣＮを前記入場時刻に紐付けて前記ユーザデータベースに登録する入場時刻登録部と、
店舗端末から前記代替ＩＤとショップポイントを含むサービス情報を受信した場合に、前記ショップポイントから前記駐車場の利用料金の割引に関するサービスポイントを計算して、前記サービスポイントを、前記サービス情報に含まれる前記代替ＩＤに紐付けられた前記ＥＴＣカード番号に紐付けて前記ユーザデータベースに登録するサービスポイント計算部と、
駐車場の出場口に設けられた出場ＥＴＣ路側器から前記ＷＣＮと前記ＥＴＣカード番号を含む出場ＩＤを受信した場合に、出場時刻を生成して、前記出場ＩＤに含まれる前記ＷＣＮに紐付けられた前記入場時刻と、前記出場時刻と、前記出場ＩＤに含まれる前記ＥＴＣカード番号に紐付けられたサービスポイントに基づいて決済情報を生成する決済情報生成部を含む
管理サーバ。
【請求項３】
携帯端末からＥＴＣカード番号を含むユーザ登録要求を受信した場合に、前記ＥＴＣカード番号を代替ＩＤに紐付けてユーザデータベースに登録するユーザ登録部と、
駐車場の入場口に設けられた入場ＥＴＣ路側器からＷＣＮを含む入場ＩＤを受信した場合に、入場時刻を生成して前記ＷＣＮを前記入場時刻に紐付けて前記ユーザデータベースに登録する入場時刻登録部と、
店舗端末から前記代替ＩＤとショップポイントを含むサービス情報を受信した場合に、前記ショップポイントから前記駐車場の利用料金の割引に関するサービスポイントを計算して、前記サービスポイントを、前記サービス情報に含まれる前記代替ＩＤに紐付けられた前記ＥＴＣカード番号に紐付けて前記ユーザデータベースに登録するサービスポイント計算部と、
駐車場の出場口に設けられた出場ＥＴＣ路側器から前記ＷＣＮと前記ＥＴＣカード番号を含む出場ＩＤを受信した場合に、出場時刻を生成して、前記出場ＩＤに含まれる前記ＷＣＮに紐付けられた前記入場時刻と、前記出場時刻と、前記出場ＩＤに含まれる前記ＥＴＣカード番号に紐付けられたサービスポイントに基づいて決済情報を生成する決済情報生成部を含む
管理サーバ。
【請求項４】
携帯端末からＷＣＮを含むユーザ登録要求を受信した場合に、前記ＷＣＮをユーザデータベースに登録するユーザ登録部と、
駐車場の入場口に設けられた入場ＥＴＣ路側器から前記ＷＣＮを含む入場ＩＤを受信した場合に、入場時刻を生成して前記ＷＣＮを前記入場時刻に紐付けて前記ユーザデータベースに登録する入場時刻登録部と、
店舗端末から前記ＷＣＮとショップポイントを含むサービス情報を受信した場合に、前記ショップポイントから前記駐車場の利用料金の割引に関するサービスポイントを計算して、前記サービスポイントを、前記サービス情報に含まれる前記ＷＣＮに紐付けて前記ユーザデータベースに登録するサービスポイント計算部と、
駐車場の出場口に設けられた出場ＥＴＣ路側器から前記ＷＣＮと前記ＥＴＣカード番号を含む出場ＩＤを受信した場合に、出場時刻を生成して、前記出場ＩＤに含まれる前記ＷＣＮに紐付けられた前記入場時刻と、前記出場時刻と、前記出場ＩＤに含まれる前記ＷＣＮに紐付けられたサービスポイントに基づいて決済情報を生成する決済情報生成部を含む
管理サーバ。
【請求項５】
携帯端末からＥＴＣカード番号を含むユーザ登録要求を受信した場合に、前記ＥＴＣカード番号をユーザデータベースに登録するユーザ登録部と、
駐車場の入場口に設けられた入場ＥＴＣ路側器から前記ＥＴＣカード番号を含む入場ＩＤを受信した場合に、入場時刻を生成して前記ＥＴＣカード番号を前記入場時刻に紐付けて前記ユーザデータベースに登録する入場時刻登録部と、
店舗端末から前記ＥＴＣカード番号とショップポイントを含むサービス情報を受信した場合に、前記ショップポイントから前記駐車場の利用料金の割引に関するサービスポイントを計算して、前記サービスポイントを、前記サービス情報に含まれる前記ＥＴＣカード番号に紐付けて前記ユーザデータベースに登録するサービスポイント計算部と、
駐車場の出場口に設けられた出場ＥＴＣ路側器から前記ＥＴＣカード番号を含む出場ＩＤを受信した場合に、出場時刻を生成して、前記出場ＩＤに含まれる前記ＥＴＣカード番号に紐付けられた前記入場時刻と、前記出場時刻と、前記出場ＩＤに含まれる前記ＥＴＣカード番号に紐付けられたサービスポイントに基づいて決済情報を生成する決済情報生成部を含む
管理サーバ。
【請求項６】
携帯端末からアプリＩＤを含むユーザ登録要求を受信した場合に、前記アプリＩＤをユーザデータベースに登録する第１ユーザ登録部と、
携帯端末からＥＴＣカード番号とアプリＩＤを含むユーザ登録要求を受信した場合に、前記ＥＴＣカード番号を前記アプリＩＤに紐付けてユーザデータベースに登録する第２ユーザ登録部と、
駐車場の入場口に設けられた入場ＥＴＣ路側器からＷＣＮを含む入場ＩＤを受信した場合に、入場時刻を生成して前記ＷＣＮを前記入場時刻に紐付けて前記ユーザデータベースに登録する入場時刻登録部と、
店舗端末から前記アプリＩＤとショップポイントを含むサービス情報を受信した場合に、前記ショップポイントから前記駐車場の利用料金の割引に関するサービスポイントを計算して、前記サービスポイントを前記アプリＩＤに紐付けて前記ユーザデータベースに登録するサービスポイント計算部と、
駐車場の出場口に設けられた出場ＥＴＣ路側器から前記ＷＣＮと前記ＥＴＣカード番号を含む出場ＩＤを受信した場合に、出場時刻を生成して、前記出場ＩＤに含まれる前記ＷＣＮに紐付けられた前記入場時刻と、前記出場時刻と、前記出場ＩＤに含まれる前記ＥＴＣカード番号に紐付けられたサービスポイントに基づいて決済情報を生成する決済情報生成部を含む
管理サーバ。
【請求項７】
コンピュータを請求項１から６の何れかに記載の管理サーバとして機能させるプログラム。
【発明の詳細な説明】
【技術分野】
【０００１】
本発明は、管理サーバ、プログラムに関する。
【背景技術】
【０００２】
ＥＴＣ２．０は、道路沿いに設置されたＩＴＳスポットと対応車載器（ＤＳＲＣ通信対応機）との相互通信により、高度な支援を提供するサービスである。
【０００３】
国土交通省は、ＥＴＣ２．０を様々な民間サービスに利用する計画を発表している（非特許文献１）。民間サービスの一例として、公共駐車場決済サービスがある。このサービスでは、事前登録の手続きによって公共駐車場のゲートをキャッシュレス、チケットレスでスムーズに通過できるようにすることを目指している。
【先行技術文献】
【非特許文献】
【０００４】
【非特許文献１】国土交通省、“ＥＴＣ２．０  広がる民間サービス”、［online］、国土交通省、［平成 29年2月 23日検索］、インターネット<URL:http://www.mlit.go.jp/road/ITS/j-html/etc2/minkan.html>
【発明の概要】
【発明が解決しようとする課題】
【０００５】
例えば店舗併設型駐車場の決済をＥＴＣによるキャッシュレス決済としようとすると、店舗利用などで利用者が獲得した駐車料金の割引情報を決済情報に反映することができない。これは、既存の店舗−駐車場間で構築されている割引サービスがＥＴＣ決済システムとリンクしていないからである。従って、上述の公共駐車場決済サービスは、割引サービスを有さない駐車場でしか利用できないという課題があった。
【０００６】
そこで本発明では、割引情報が反映された駐車料金をＥＴＣシステムによりキャッシュレス決済することができる管理サーバを提供することを目的とする。
【課題を解決するための手段】
【０００７】
本発明の管理サーバは、ユーザ登録部と、入場時刻登録部と、サービスポイント計算部と、決済情報生成部を含む。
【０００８】
ユーザ登録部は、携帯端末からＥＴＣカード番号を含むユーザ登録要求を受信した場合に、ＥＴＣカード番号をユーザデータベースに登録する。入場時刻登録部は、駐車場の入場口に設けられた入場ＥＴＣ路側器からＷＣＮを含む入場ＩＤを受信した場合に、入場時刻を生成してＷＣＮを入場時刻に紐付けてユーザデータベースに登録する。サービスポイント計算部は、店舗端末からＥＴＣカード番号とショップポイントを含むサービス情報を受信した場合に、ショップポイントから駐車場の利用料金の割引に関するサービスポイントを計算して、サービスポイントをＥＴＣカード番号に紐付けてユーザデータベースに登録する。決済情報生成部は、駐車場の出場口に設けられた出場ＥＴＣ路側器からＷＣＮとＥＴＣカード番号を含む出場ＩＤを受信した場合に、出場時刻を生成して、出場ＩＤに含まれるＷＣＮに紐付けられた入場時刻と、出場時刻と、出場ＩＤに含まれるＥＴＣカード番号に紐付けられたサービスポイントに基づいて決済情報を生成する。
【発明の効果】
【０００９】
本発明の管理サーバによれば、割引情報が反映された駐車料金をＥＴＣシステムによりキャッシュレス決済することができる。
【図面の簡単な説明】
【００１０】
【図１】実施例１の駐車料金精算システムの構成を示すブロック図。
【図２】実施例１の管理サーバの構成を示すブロック図。
【図３】実施例１の駐車料金精算システムのユーザ登録動作を示すシーケンス図。
【図４】実施例１の駐車料金精算システムの自動車入場時の動作を示すシーケンス図。
【図５】実施例１の駐車料金精算システムのポイント付与動作を示すシーケンス図。
【図６】実施例１の駐車料金精算システムの自動車出場時の動作を示すシーケンス図。
【図７】変形例５の駐車料金精算システムの構成を示すブロック図。
【図８】変形例５の駐車料金精算システムの第１ユーザ登録動作を示すシーケンス図。
【図９】変形例５の駐車料金精算システムのポイント付与動作を示すシーケンス図。
【図１０】変形例５の駐車料金精算システムの第２ユーザ登録動作を示すシーケンス図。
【発明を実施するための形態】
【００１１】
以下、本発明の実施の形態について、詳細に説明する。なお、同じ機能を有する構成部には同じ番号を付し、重複説明を省略する。
【実施例１】
【００１２】
以下、図１を参照して実施例１の駐車料金精算システムの構成を説明する。同図に示すように、本実施例の駐車料金精算システム１は、携帯端末１０と、管理サーバ１１と、ＥＴＣ車載器１２と、ＥＴＣカード１３と、入場ＥＴＣ路側器１４と、店舗端末１５と、出場ＥＴＣ路側器１６と、決済機関サーバ１７を含む構成である。以下、各装置について説明する。
【００１３】
＜携帯端末１０＞
携帯端末１０は、例えば、スマートフォン、フィーチャーフォン、通信機能を持つタブレット端末などであって、本システムを利用するユーザ９と紐付いているものとする。携帯端末１０には、後述する本システム専用のアプリケーションがインストール可能であるものとする。携帯端末１０は少なくとも、管理サーバ１１、店舗端末１５と通信可能であるものとする。携帯端末１０と管理サーバ１１は、例えばモバイル通信ネットワークや無線ＬＡＮネットワークにより通信できる。携帯端末１０と店舗端末１５は、無線ＬＡＮネットワークなどに加え、近接無線通信（例えばブルートゥース、登録商標）、コードの読み取りなどにより通信できる。
【００１４】
＜管理サーバ１１＞
管理サーバ１１は、駐車場事業者などが管理するサーバ装置である。管理サーバ１１は少なくとも、携帯端末１０、後述する入場ＥＴＣ路側器１４、店舗端末１５、出場ＥＴＣ路側器１６、決済機関サーバ１７とモバイル通信ネットワークや無線ＬＡＮネットワークにより通信可能であるものとする。なお、管理サーバ１１の処理を分割して複数のハードウェアのそれぞれに分担させてもよい。本実施例では、管理サーバ１１を単一のハードウェアとみなす。
【００１５】
＜ＥＴＣ車載器１２＞
ＥＴＣ車載器１２は、前述したユーザ９が乗車している、または乗車していた自動車８に搭載され、ＥＴＣカード１３が挿入済みであるものとする。ＥＴＣ車載器１２、自動車８はユーザ９と紐付いているものとする。ＥＴＣ車載器１２は少なくとも、後述する入場ＥＴＣ路側器１４、出場ＥＴＣ路側器１６と通信可能であるものとする。通信の方式は、例えばＤＳＲＣなどである。
【００１６】
＜ＥＴＣカード１３＞
ＥＴＣカード１３は、上述のＥＴＣ車載器１２に挿入されているものとする。ＥＴＣカード１３は、ユーザ９と紐付いているものとする。
【００１７】
＜入場ＥＴＣ路側器１４＞
入場ＥＴＣ路側器１４は、本システムを導入済みの駐車場の入場口（例えば入場ゲート近傍）に設置され、入場口に進入してきた車両８のＥＴＣ車載器１２と通信を行う。入場ＥＴＣ路側器１４は管理サーバ１１とも通信可能であるものとする。
【００１８】
＜店舗端末１５＞
店舗端末１５は、ユーザ９が利用した（例えば商品を購入した、サービスを受けた、あるいは、来店した）店舗の端末であって、店舗が認定するショップポイント（後述）を発行する端末である。店舗端末１５は少なくとも、携帯端末１０、管理サーバ１１と通信可能であるものとする。
【００１９】
＜出場ＥＴＣ路側器１６＞
出場ＥＴＣ路側器１６は、本システムを導入済みの駐車場の出場口（例えば出場ゲート近傍）に設置され、出場口に進入してきた車両８のＥＴＣ車載器１２と通信を行う。出場ＥＴＣ路側器１６は管理サーバ１１とも通信可能であるものとする。
【００２０】
＜決済機関サーバ１７＞
決済機関サーバ１７は、本システムによる割引を適用済みの駐車料金をＥＴＣカード１３に紐付いているクレジットカードに対して請求するサーバ装置である。決済機関サーバ１７は少なくとも、管理サーバ１１と通信可能であるものとする。
【００２１】
以下、図２を参照して管理サーバ１１の構成を説明する。同図に示すように管理サーバ１１は、ユーザデータベース１１Ａと、登録情報受信部１１０と、ユーザ登録部１１１と、代替ＩＤ発行部１１−１と、代替ＩＤ送信部１１−２と、入場ＩＤ受信部１１２と、入場時刻登録部１１３と、管理連番発行部１１４と、サービス情報受信部１１５と、サービスポイント計算部１１６と、出場ＩＤ受信部１１７と、決済情報生成部１１８と、決済情報送信部１１９を含む。なお、代替ＩＤ発行部１１−１と、代替ＩＤ送信部１１−２は場合により省略可能な構成要件である。
【００２２】
登録情報受信部１１０と、代替ＩＤ送信部１１−２と、入場ＩＤ受信部１１２と、サービス情報受信部１１５と、出場ＩＤ受信部１１７と、決済情報送信部１１９は何れもデータを送信、または受信する機能を持つ構成要件であるため、これらをまとめてデータ送受信部１１Ｂとも呼称する。
【００２３】
＜システムの動作（ユーザ登録）＞
以下、図３を参照して、本実施例の駐車料金精算システム１のユーザ登録動作を説明する。同図のシーケンスの処理に先立ち、携帯端末１０には、本システムで利用されるアプリケーションがインストール済みであるものとする。まず、携帯端末１０は、ユーザ９と紐付いているＥＴＣカード１３のＥＴＣカード番号（ＥＴＣ−Ｎｏ．）と、携帯端末１０にインストールされたアプリケーションの識別番号であるアプリＩＤ（ａｐｐ−ＩＤ）を含むユーザ登録要求を管理サーバ１１に送信する（Ｓ１００）。携帯端末１０はユーザ登録要求に代替ＩＤ（ａｌｔ−ＩＤ）を加え、管理サーバ１１に送信してもよい（後述する変形例１を参照）。また、携帯端末１０は、ＥＴＣカード番号（ＥＴＣ−Ｎｏ．）の代わりにワイヤレスコールナンバー（ＷＣＮ）とアプリＩＤ（ａｐｐ−ＩＤ）を含むユーザ登録要求を管理サーバ１１に送信してもよい（後述する変形例３を参照）。
【００２４】
管理サーバ１１の登録情報受信部１１０は、ユーザ登録要求（ＥＴＣ−Ｎｏ．（ｏｒＷＣＮ）、場合によりさらにａｌｔ−ＩＤ／ａｐｐ−ＩＤ）を、携帯端末１０から受信する（Ｓ１１０）。
【００２５】
管理サーバ１１のユーザ登録部１１１は、携帯端末１０からユーザ登録要求（ＥＴＣ−Ｎｏ．（ｏｒＷＣＮ）、場合によりさらにａｌｔ−ＩＤ／ａｐｐ−ＩＤ）を受信した場合に、ＥＴＣカード番号（ＥＴＣ−Ｎｏ．）、またはＷＣＮ（場合によりさらにａｌｔ−ＩＤ）をユーザデータベース１１Ａに登録する（Ｓ１１１）。
【００２６】
場合により、管理サーバ１１の代替ＩＤ発行部１１−１は、代替ＩＤ（ａｌｔ−ＩＤ）を発行する（Ｓ１１−１）。管理サーバ１１の代替ＩＤ送信部１１−２は、発行された代替ＩＤ（ａｌｔ−ＩＤ）を携帯端末１０に送信する（Ｓ１１−２）。携帯端末１０は、代替ＩＤ（ａｌｔ−ＩＤ）を受信する（Ｓ１０−１）。ステップＳ１１−１、Ｓ１１−２については、変形例２で詳述する。ステップＳ１１−１、Ｓ１１−２が実行されて代替ＩＤ（ａｌｔ−ＩＤ）が発行された場合、管理サーバ１１のユーザ登録部１１１は、ユーザ登録要求に含まれるＥＴＣカード番号（ＥＴＣ−Ｎｏ．）またはＷＣＮを代替ＩＤ（ａｌｔ−ＩＤ）に紐付けてユーザデータベース１１Ａに登録する（後述の変形例１、変形例２参照）。
【００２７】
＜システムの動作（入場）＞
以下、図４を参照して、本実施例の駐車料金精算システム１の自動車８入場時の動作を説明する。まず、自動車８のＥＴＣ車載器１２は、入場ＥＴＣ路側器１４にワイヤレスコールナンバー（ＷＣＮ）を含む入場ＩＤを送信する（Ｓ１２０）。このときＥＴＣ車載器１２は、入場ＩＤにＥＴＣカード番号（ＥＴＣ−Ｎｏ．）を加え、入場ＥＴＣ路側器１４に送信してもよい（後述の変形例４参照）。
【００２８】
入場ＥＴＣ路側器１４は、ＥＴＣ車載器１２から入場ＩＤ（ＷＣＮ，場合によりさらにＥＴＣ−Ｎｏ．）を受信する（Ｓ１４０）。入場ＥＴＣ路側器１４は、受信した入場ＩＤ（ＷＣＮ，場合によりさらにＥＴＣ−Ｎｏ．）を管理サーバ１１に送信する（Ｓ１４１）。
【００２９】
管理サーバ１１の入場ＩＤ受信部１１２は、入場ＥＴＣ路側器１４から入場ＩＤ（ＷＣＮ，場合によりさらにＥＴＣ−Ｎｏ．）を受信する（Ｓ１１２）。
【００３０】
管理サーバ１１の入場時刻登録部１１３は、入場ＥＴＣ路側器１４から入場ＩＤ（ＷＣＮ，場合によりさらにＥＴＣ−Ｎｏ．）を受信した場合に、入場時刻（ＴＩＭＥ−１）を生成してＷＣＮ、場合によりＥＴＣ−Ｎｏ．を入場時刻（ＴＩＭＥ−１）に紐付けてユーザデータベース１１Ａに登録する（Ｓ１１３）。
【００３１】
管理サーバ１１の管理連番発行部１１４は、駐車場管理連番（ＰＲＫ−ｓｅｒｉａｌ−Ｎｏ．）を発行し、当該駐車場管理連番（ＰＲＫ−ｓｅｒｉａｌ−Ｎｏ．）を前述のＷＣＮ（ＥＴＣ−Ｎｏ．），ＴＩＭＥ−１に紐付けてユーザデータベース１１Ａに登録する（Ｓ１１４）。
【００３２】
＜システムの動作（ポイント付与）＞
以下、図５を参照して、本実施例の駐車料金精算システム１のポイント付与動作を説明する。まず、携帯端末１０は、ＥＴＣカード番号（ＥＴＣ−Ｎｏ．）とアプリＩＤ（ａｐｐ−ＩＤ）を含む要求情報を、店舗端末１５に送信する（Ｓ１０１）。要求情報には、ＥＴＣカード番号（ＥＴＣ−Ｎｏ．）の代替情報として前述の代替ＩＤ（ａｌｔ−ＩＤ）を含んでもよい（後述の変形例１、変形例２参照）。要求情報には、ＥＴＣカード番号（ＥＴＣ−Ｎｏ．）の代替情報として前述のＷＣＮを含んでもよい（後述の変形例３参照）。ステップＳ１０１の送信動作は、例えばＱＲコード（登録商標）の表示によっても実現できる。
【００３３】
店舗端末１５は、ＥＴＣカード番号（ＥＴＣ−Ｎｏ．）とアプリＩＤ（ａｐｐ−ＩＤ）を含む要求情報（場合により、ＥＴＣ−Ｎｏ．はａｌｔ−ＩＤ，ＷＣＮに代替される）を、携帯端末１０から受信する（Ｓ１５０）。ステップＳ１５０の受信動作は、例えばＱＲコード（登録商標）の読み取りによっても実現できる。
【００３４】
店舗端末１５は、ＥＴＣカード番号（ＥＴＣ−Ｎｏ．）とアプリＩＤ（ａｐｐ−ＩＤ）を含む要求情報（場合により、ＥＴＣ−Ｎｏ．はａｌｔ−ＩＤ，ＷＣＮに代替される）に、ショップポイント（ＰＯＩＮＴ）、店舗ＩＤ（ｓｈｏｐ−ＩＤ）、店舗管理連番（ＳＨＰ−ｓｅｒｉａｌ−Ｎｏ．）を加えたサービス情報を、管理サーバ１１に送信する（Ｓ１５１）。ショップポイント（ＰＯＩＮＴ）とは、典型的には、店舗で支払った金銭の合計額そのものである。例えばユーザがある店舗で合計２５００円（税抜）を支払った場合、ショップポイント（ＰＯＩＮＴ）＝２５００ｐｔが与えられる。この他、ショップポイント（ＰＯＩＮＴ）の付与の仕方として、来店特典などが考えられる。例えば、ある店舗にユーザが訪れ、上述の認証（ステップＳ１０１、Ｓ１５０）が実行された場合、ユーザが特に何も購入していなくても来店特典としてショップポイント（ＰＯＩＮＴ）＝５００ｐｔを与えることなどが考えられる。
【００３５】
管理サーバ１１のサービス情報受信部１１５は、サービス情報（ＥＴＣ−Ｎｏ．（場合によりａｌｔ−ＩＤ、ＷＣＮに代替）／ａｐｐ−ＩＤ／ＰＯＩＮＴ／ｓｈｏｐ−ＩＤ／ＳＨＰ−ｓｅｒｉａｌ−Ｎｏ．）を、店舗端末１５から受信する（Ｓ１１５、図１の＊印参照）。
【００３６】
管理サーバ１１のサービスポイント計算部１１６は、店舗端末１５からサービス情報（ＥＴＣ−Ｎｏ．（場合によりａｌｔ−ＩＤ、ＷＣＮに代替）／ａｐｐ−ＩＤ／ＰＯＩＮＴ／ｓｈｏｐ−ＩＤ／ＳＨＰ−ｓｅｒｉａｌ−Ｎｏ．）を受信した場合に、ショップポイント（ＰＯＩＮＴ）から駐車場の利用料金の割引に関するサービスポイント（ＳＥＲＶＩＣＥ）を計算して、サービスポイント（ＳＥＲＶＩＣＥ）をＥＴＣカード番号（ＥＴＣ−Ｎｏ．、場合によりａｌｔ−ＩＤ、ＷＣＮに代替）に紐付けてユーザデータベース１１Ａに登録する（Ｓ１１６）。サービスポイント（ＳＥＲＶＩＣＥ）は、典型的には、駐車場の利用料金の割引額そのものである。例えば、ショップポイント（ＰＯＩＮＴ）が２０００ｐｔを超えている場合、駐車場の利用料金を５００円割り引くことが決められている場合であって、ショップポイント（ＰＯＩＮＴ）＝２５００ｐｔ与えられていれば、サービスポイント（ＳＥＲＶＩＣＥ）＝５００ｐｔが与えられる。サービスポイント（ＳＥＲＶＩＣＥ）が時間の単位で与えられる可能性もある。例えば、ショップポイント（ＰＯＩＮＴ）が２０００ｐｔを超えている場合、サービスポイント（ＳＥＲＶＩＣＥ）＝２．０ｈｒを与え、駐車場の利用料金を計算する場合に、ショップポイント（ＰＯＩＮＴ）＝２５００ｐｔ与えられていれば、駐車場の利用時間から２時間分を差し引くといった利用方法も考えられる。
【００３７】
＜システムの動作（出場）＞
以下、図６を参照して、本実施例の駐車料金精算システム１の自動車８出場時の動作を説明する。まず、自動車８のＥＴＣ車載器１２は、出場ＥＴＣ路側器１６にワイヤレスコールナンバー（ＷＣＮ）と、ＥＴＣカード番号（ＥＴＣ−Ｎｏ．）を含む出場ＩＤを送信する（Ｓ１２１）。
【００３８】
出場ＥＴＣ路側器１６は、ＥＴＣ車載器１２から出場ＩＤ（ＷＣＮ＋ＥＴＣ−Ｎｏ．）を受信する（Ｓ１６０）。出場ＥＴＣ路側器１６は、受信した出場ＩＤ（ＷＣＮ＋ＥＴＣ−Ｎｏ．）を管理サーバ１１に送信する（Ｓ１６１）。
【００３９】
管理サーバ１１の出場ＩＤ受信部１１７は、出場ＥＴＣ路側器１６から出場ＩＤ（ＷＣＮ＋ＥＴＣ−Ｎｏ．）を受信する（Ｓ１１７）。
【００４０】
管理サーバ１１の決済情報生成部１１８は、出場ＥＴＣ路側器１６から出場ＩＤ（ＷＣＮ＋ＥＴＣ−Ｎｏ．）を受信した場合に、出場時刻（ＴＩＭＥ−２）を生成して、出場ＩＤ（ＷＣＮ＋ＥＴＣ−Ｎｏ．）に含まれるＷＣＮ（場合によりＥＴＣ−Ｎｏ．）に紐付けられた入場時刻（ＴＩＭＥ−１）と、出場時刻（ＴＩＭＥ−２）と、出場ＩＤ（ＷＣＮ＋ＥＴＣ−Ｎｏ．）に含まれるＥＴＣカード番号（ＥＴＣ−Ｎｏ．、場合によりＷＣＮ）に紐付けられたサービスポイント（ＳＥＲＶＩＣＥ）に基づいて決済情報（ＥＴＣ−Ｎｏ．／ＦＥＥ）を生成する（Ｓ１１８）。具体的には、決済情報生成部１１８は、入場時刻（ＴＩＭＥ−１）と出場時刻（ＴＩＭＥ−２）の差分から駐車時間を割り出し、当該駐車時間とサービスポイント（ＳＥＲＶＩＣＥ）による割引に基づいて駐車料金（ＦＥＥ）を計算し、計算された駐車料金（ＦＥＥ）を指定のＥＴＣカード番号（ＥＴＣ−Ｎｏ．）に対して請求する決済情報（ＥＴＣ−Ｎｏ．／ＦＥＥ）を生成する。
【００４１】
管理サーバ１１の決済情報送信部１１９は、生成された決済情報（ＥＴＣ−Ｎｏ．／ＦＥＥ）を決済機関サーバ１７に送信する（Ｓ１１９）。
【００４２】
決済機関サーバ１７は、管理サーバ１１から決済情報（ＥＴＣ−Ｎｏ．／ＦＥＥ）を受信する（Ｓ１７０）。決済機関サーバ１７は、受信した決済情報（ＥＴＣ−Ｎｏ．／ＦＥＥ）に基づいて、決済処理を実行する（Ｓ１７１）。
【００４３】
＜変形例１＞
実施例１では、ユーザ登録、ポイント付与にＥＴＣカード番号（ＥＴＣ−Ｎｏ．）を用いたが、本発明はこれに限定されない。例えば携帯端末１０がステップＳ１００において、ＥＴＣカード番号（ＥＴＣ−Ｎｏ．、場合によりＷＣＮ）に対応する代替ＩＤ（ａｌｔ−ＩＤ）を生成し、生成した代替ＩＤ（ａｌｔ−ＩＤ）をユーザ登録要求に加え、管理サーバ１１に送信してもよい。
【００４４】
この変形例において管理サーバ１１のユーザ登録部１１１は、携帯端末１０からＥＴＣカード番号（ＥＴＣ−Ｎｏ．、場合によりＷＣＮ）と代替ＩＤ（ａｌｔ−ＩＤ）を含むユーザ登録要求を受信した場合に、ＥＴＣカード番号（ＥＴＣ−Ｎｏ．、場合によりＷＣＮ）を代替ＩＤ（ａｌｔ−ＩＤ）に紐付けてユーザデータベースに登録する。
【００４５】
この変形例において携帯端末１０は、ステップＳ１０１においてＥＴＣカード番号（ＥＴＣ−Ｎｏ．）の代わりに代替ＩＤ（ａｌｔ−ＩＤ）とアプリＩＤ（ａｐｐ−ＩＤ）を含む要求情報を店舗端末１５に送信する。
【００４６】
この変形例において管理サーバ１１のサービスポイント計算部１１６は、店舗端末１５から代替ＩＤ（ａｌｔ−ＩＤ）とショップポイント（ＰＯＩＮＴ）を含むサービス情報を受信した場合に、ショップポイント（ＰＯＩＮＴ）からサービスポイント（ＳＥＲＶＩＣＥ）を計算して、サービスポイント（ＳＥＲＶＩＣＥ）を、サービス情報に含まれる代替ＩＤ（ａｌｔ−ＩＤ）に紐付けられたＥＴＣカード番号（ＥＴＣ−Ｎｏ．、場合によりＷＣＮ）に紐付けてユーザデータベース１１Ａに登録する。
【００４７】
この変形例において管理サーバ１１の決済情報生成部１１８は、出場ＥＴＣ路側器１６からＷＣＮとＥＴＣカード番号（ＥＴＣ−Ｎｏ．）を含む出場ＩＤを受信した場合に、出場時刻（ＴＩＭＥ−２）を生成して、出場ＩＤに含まれるＷＣＮ（場合によりＥＴＣ−Ｎｏ．）に紐付けられた入場時刻（ＴＩＭＥ−１）と、出場時刻（ＴＩＭＥ−２）と、出場ＩＤに含まれるＥＴＣカード番号（ＥＴＣ−Ｎｏ．、場合によりＷＣＮ）に紐付けられたサービスポイント（ＳＥＲＶＩＣＥ）に基づいて決済情報（ＥＴＣ−Ｎｏ．／ＦＥＥ）を生成する。
【００４８】
＜変形例２＞
変形例１では、携帯端末１０が代替ＩＤ（ａｌｔ−ＩＤ）を生成したが、本発明はこれに限定されない。例えば管理サーバ１１が前述したステップＳ１１−１において、代替ＩＤ（ａｌｔ−ＩＤ）を発行してもよい。
【００４９】
この変形例において管理サーバ１１のユーザ登録部１１１は、携帯端末１０からＥＴＣカード番号（ＥＴＣ−Ｎｏ．、場合によりＷＣＮ）を含むユーザ登録要求を受信した場合に、ＥＴＣカード番号（ＥＴＣ−Ｎｏ．、場合によりＷＣＮ）をステップＳ１１−１において生成した代替ＩＤ（ａｌｔ−ＩＤ）に紐付けてユーザデータベース１１Ａに登録する。
【００５０】
この変形例において管理サーバ１１の入場時刻登録部１１３は、入場ＥＴＣ路側器１４からＷＣＮ（場合によりＥＴＣ−Ｎｏ．）を含む入場ＩＤを受信した場合に、入場時刻（ＴＩＭＥ−１）を生成してＷＣＮ（場合によりＥＴＣ−Ｎｏ．）を入場時刻（ＴＩＭＥ−１）に紐付けてユーザデータベース１１Ａに登録する。
【００５１】
この変形例において管理サーバ１１のサービスポイント計算部１１６は、店舗端末１５から代替ＩＤ（ａｌｔ−ＩＤ）とショップポイント（ＰＯＩＮＴ）を含むサービス情報を受信した場合に、ショップポイント（ＰＯＩＮＴ）からサービスポイント（ＳＥＲＶＩＣＥ）を計算して、サービスポイント（ＳＥＲＶＩＣＥ）を、サービス情報に含まれる代替ＩＤ（ａｌｔ−ＩＤ）に紐付けられたＥＴＣカード番号（ＥＴＣ−Ｎｏ．、場合によりＷＣＮ）に紐付けてユーザデータベース１１Ａに登録する。
【００５２】
この変形例において管理サーバ１１の決済情報生成部１１８は、出場ＥＴＣ路側器１６からＷＣＮとＥＴＣカード番号（ＥＴＣ−Ｎｏ．）を含む出場ＩＤを受信した場合に、出場時刻（ＴＩＭＥ−２）を生成して、出場ＩＤに含まれるＷＣＮ（場合によりＥＴＣ−Ｎｏ．）に紐付けられた入場時刻（ＴＩＭＥ−１）と、出場時刻（ＴＩＭＥ−２）と、出場ＩＤに含まれるＥＴＣカード番号（ＥＴＣ−Ｎｏ．、場合によりＷＣＮ）に紐付けられたサービスポイント（ＳＥＲＶＩＣＥ）に基づいて決済情報（ＥＴＣ−Ｎｏ．／ＦＥＥ）を生成する。
【００５３】
＜変形例３＞
実施例１では、各処理にＥＴＣカード番号（ＥＴＣ−Ｎｏ．）を用いたが、本発明はこれに限定されない。例えばシステム全般において、一貫してＷＣＮを用いるように構成してもよい。
【００５４】
この変形例において管理サーバ１１のユーザ登録部１１１は、携帯端末１０からＷＣＮを含むユーザ登録要求を受信した場合に、ＷＣＮをユーザデータベース１１Ａに登録する。
【００５５】
この変形例において管理サーバ１１の入場時刻登録部１１３は、入場ＥＴＣ路側器１４からＷＣＮを含む入場ＩＤを受信した場合に、入場時刻（ＴＩＭＥ−１）を生成してＷＣＮを入場時刻（ＴＩＭＥ−１）に紐付けてユーザデータベース１１Ａに登録する。
【００５６】
この変形例において管理サーバ１１のサービスポイント計算部１１６は、店舗端末１５からＷＣＮとショップポイント（ＰＯＩＮＴ）を含むサービス情報を受信した場合に、ショップポイント（ＰＯＩＮＴ）からサービスポイント（ＳＥＲＶＩＣＥ）を計算して、サービスポイント（ＳＥＲＶＩＣＥ）を、サービス情報に含まれるＷＣＮに紐付けてユーザデータベース１１Ａに登録する。
【００５７】
この変形例において管理サーバ１１の決済情報生成部１１８は、出場ＥＴＣ路側器１６からＷＣＮとＥＴＣカード番号（ＥＴＣ−Ｎｏ．）を含む出場ＩＤを受信した場合に、出場時刻（ＴＩＭＥ−２）を生成して、出場ＩＤに含まれるＷＣＮに紐付けられた入場時刻（ＴＩＭＥ−１）と、出場時刻（ＴＩＭＥ−２）と、出場ＩＤに含まれるＷＣＮに紐付けられたサービスポイント（ＳＥＲＶＩＣＥ）に基づいて決済情報（ＥＴＣ−Ｎｏ．／ＦＥＥ）を生成する。
【００５８】
＜変形例４＞
上述の実施例、変形例１〜３では、各処理にＷＣＮを用いたが、本発明はこれに限定されない。例えばシステム全般において、一貫してＥＴＣカード番号（ＥＴＣ−Ｎｏ．）を用いるように構成してもよい。
【００５９】
この変形例において管理サーバ１１のユーザ登録部１１１は、携帯端末１０からＥＴＣカード番号（ＥＴＣ−Ｎｏ．）を含むユーザ登録要求を受信した場合に、ＥＴＣカード番号（ＥＴＣ−Ｎｏ．）をユーザデータベース１１Ａに登録する。
【００６０】
この変形例において管理サーバ１１の入場時刻登録部１１３は、入場ＥＴＣ路側器１４からＥＴＣカード番号（ＥＴＣ−Ｎｏ．）を含む入場ＩＤを受信した場合に、入場時刻（ＴＩＭＥ−１）を生成してＥＴＣカード番号（ＥＴＣ−Ｎｏ．）を入場時刻（ＴＩＭＥ−１）に紐付けてユーザデータベース１１Ａに登録する。
【００６１】
この変形例において管理サーバ１１のサービスポイント計算部１１６は、店舗端末１０からＥＴＣカード番号（ＥＴＣ−Ｎｏ．）とショップポイント（ＰＯＩＮＴ）を含むサービス情報を受信した場合に、ショップポイント（ＰＯＩＮＴ）からサービスポイント（ＳＥＲＶＩＣＥ）を計算して、サービスポイント（ＳＥＲＶＩＣＥ）を、サービス情報に含まれるＥＴＣカード番号（ＥＴＣ−Ｎｏ．）に紐付けてユーザデータベース１１Ａに登録する。
【００６２】
この変形例において管理サーバ１１の決済情報生成部１１８は、出場ＥＴＣ路側器１６からＥＴＣカード番号（ＥＴＣ−Ｎｏ．）を含む出場ＩＤを受信した場合に、出場時刻（ＴＩＭＥ−２）を生成して、出場ＩＤに含まれるＥＴＣカード番号（ＥＴＣ−Ｎｏ．）に紐付けられた入場時刻（ＴＩＭＥ−１）と、出場時刻（ＴＩＭＥ−２）と、出場ＩＤに含まれるＥＴＣカード番号（ＥＴＣ−Ｎｏ．）に紐付けられたサービスポイント（ＳＥＲＶＩＣＥ）に基づいて決済情報（ＥＴＣ−Ｎｏ．／ＦＥＥ）を生成する。
【００６３】
＜変形例５＞
上述の実施例１では、ユーザ登録動作処理においてＥＴＣカード番号（ＥＴＣ−Ｎｏ．）またはＷＣＮとアプリＩＤ（ａｐｐ−ＩＤ）を対にして送信したが、本発明はこれに限定されない。例えばＥＴＣカード番号（ＥＴＣ−Ｎｏ．）とアプリＩＤ（ａｐｐ−ＩＤ）を別々に送信し、決済情報生成までに紐付けるように構成してもよい。
【００６４】
以下、図７を参照して変形例５の駐車料金精算システムの構成を説明する。同図に示すように、本実施例の駐車料金精算システム１ａは、携帯端末１０ａと、管理サーバ１１ａと、店舗端末１５ａと、実施例１と同じＥＴＣ車載器１２と、ＥＴＣカード１３と、入場ＥＴＣ路側器１４と、出場ＥＴＣ路側器１６と、決済機関サーバ１７を含む構成である。
【００６５】
この変形例において、自動車入場時の動作は実施例１と同じである。以下、実施例１と異なる動作について説明する。
【００６６】
図８を参照して、本変形例の駐車料金精算システム１ａの第１ユーザ登録動作（入場後登録動作）を説明する。
【００６７】
この変形例において携帯端末１０ａは、ユーザ９と紐付いている携帯端末１０ａにインストールされたアプリケーションの識別番号であるアプリＩＤ（ａｐｐ−ＩＤ）を含むユーザ登録要求を管理サーバ１１ａに送信する（Ｓ１００-１）。
【００６８】
この変形例において管理サーバ１１ａの登録情報受信部１１０は、ユーザ登録要求（ａｐｐ−ＩＤ）を、携帯端末１０から受信する（Ｓ１１０-１）。
【００６９】
この変形例において管理サーバ１１ａのユーザ登録部１１１は、携帯端末１０からユーザ登録要求（ａｐｐ−ＩＤ）を受信した場合に、ユーザデータベース１１Ａに登録する（Ｓ１１１-１）。なお、ユーザ登録部１１１を第１ユーザ登録部１１１−１と第２ユーザ登録部１１１−２に分割し、第１ユーザ登録部１１１−１がステップＳ１１１−１を、第２ユーザ登録部１１１−２が後述するステップＳ１１１−２を実行してもよい。
【００７０】
図９を参照して、本変形例の駐車料金精算システム１ａのポイント付与動作を説明する。
【００７１】
この変形例において携帯端末１０ａは、アプリＩＤ（ａｐｐ−ＩＤ）を含む要求情報を店舗端末１５ａに送信する（Ｓ１０１−１）。
【００７２】
この変形例において店舗端末１５ａは、アプリＩＤ（ａｐｐ−ＩＤ）を含む要求情報を、携帯端末１０から受信し（Ｓ１５０−１）、アプリＩＤ（ａｐｐ−ＩＤ）を含む要求情報に、ショップポイント（ＰＯＩＮＴ）、店舗ＩＤ（ｓｈｏｐ−ＩＤ）、店舗管理連番（ＳＨＰ−ｓｅｒｉａｌ−Ｎｏ．）を加えたサービス情報を、管理サーバ１１に送信する（Ｓ１５１−１）。
【００７３】
この変形例において管理サーバ１１ａのサービス情報受信部１１５は、サービス情報（ａｐｐ−ＩＤ／ＰＯＩＮＴ／ｓｈｏｐ−ＩＤ／ＳＨＰ−ｓｅｒｉａｌ−Ｎｏ．）を、店舗端末１５ａから受信する（Ｓ１１５−１）。
【００７４】
この変形例において管理サーバ１１ａのサービスポイント計算部１１６は、店舗端末１５ａからアプリＩＤ（ａｐｐ−ＩＤ）とショップポイント（ＰＯＩＮＴ）を含むサービス情報を受信した場合に、ショップポイント（ＰＯＩＮＴ）からサービスポイント（ＳＥＲＶＩＣＥ）を計算して、サービスポイント（ＳＥＲＶＩＣＥ）を、サービス情報に含まれるアプリＩＤ（ａｐｐ−ＩＤ）に紐付けてユーザデータベース１１Ａに登録する（Ｓ１１６）。
【００７５】
次に、図１０を参照して、本変形例の駐車料金精算システム１ａの第２ユーザ登録動作（出場前登録動作）を説明する。
【００７６】
この変形例において携帯端末１０ａは、ユーザ９と紐付いているＥＴＣカード番号（ＥＴＣ−Ｎｏ．）とアプリＩＤ（ａｐｐ−ＩＤ）を含むユーザ登録要求を管理サーバ１１ａに送信する（Ｓ１００-２）。
【００７７】
この変形例において管理サーバ１１ａの登録情報受信部１１０は、ＥＴＣカード番号（ＥＴＣ−Ｎｏ．）とアプリＩＤ（ａｐｐ−ＩＤ）を、携帯端末１０ａから受信する（Ｓ１１０-２）。
【００７８】
この変形例において管理サーバ１１ａのユーザ登録部１１１は、携帯端末１０ａからユーザ登録要求（ＥＴＣ−Ｎｏ．／ａｐｐ−ＩＤ）を受信した場合に、ＥＴＣカード番号（ＥＴＣ−Ｎｏ．）をアプリＩＤ（ａｐｐ−ＩＤ）に紐付けてユーザデータベース１１Ａに登録する（Ｓ１１１-２）。
【００７９】
自動車出場時は、実施例１と同様にステップＳ１２１、Ｓ１６０、Ｓ１６１、Ｓ１１７が実行される。
【００８０】
この変形例において管理サーバ１１ａの決済情報生成部１１８は、出場ＥＴＣ路側器１６からＷＣＮとＥＴＣカード番号（ＥＴＣ−Ｎｏ．）を含む出場ＩＤを受信した場合に、出場時刻（ＴＩＭＥ−２）を生成して、出場ＩＤに含まれるＷＣＮに紐付けられた入場時刻（ＴＩＭＥ−１）と、出場時刻（ＴＩＭＥ−２）と、出場ＩＤに含まれるＥＴＣカード番号（ＥＴＣ−Ｎｏ．）に紐付けられたサービスポイント（ＳＥＲＶＩＣＥ）に基づいて決済情報（ＥＴＣ−Ｎｏ．／ＦＥＥ）を生成する（Ｓ１１８−１，図示略）。以下、ステップＳ１１９、Ｓ１７０、Ｓ１７１が実施例１と同様に実行される。
【００８１】
＜補記１＞
上述の実施例、および変形例において、出場時にかならずＥＴＣカード番号を読み取っていたが、本発明はこれに限定されない。例えば、決済情報を生成した結果、精算料金が発生しない場合には、出場時にＥＴＣカード番号を読み取らない処理とすることもできる。
【００８２】
＜補記２＞
本発明の装置は、例えば単一のハードウェアエンティティとして、キーボードなどが接続可能な入力部、液晶ディスプレイなどが接続可能な出力部、ハードウェアエンティティの外部に通信可能な通信装置（例えば通信ケーブル）が接続可能な通信部、ＣＰＵ（Central Processing Unit、キャッシュメモリやレジスタなどを備えていてもよい）、メモリであるＲＡＭやＲＯＭ、ハードディスクである外部記憶装置並びにこれらの入力部、出力部、通信部、ＣＰＵ、ＲＡＭ、ＲＯＭ、外部記憶装置の間のデータのやり取りが可能なように接続するバスを有している。また必要に応じて、ハードウェアエンティティに、ＣＤ−ＲＯＭなどの記録媒体を読み書きできる装置（ドライブ）などを設けることとしてもよい。このようなハードウェア資源を備えた物理的実体としては、汎用コンピュータなどがある。
【００８３】
ハードウェアエンティティの外部記憶装置には、上述の機能を実現するために必要となるプログラムおよびこのプログラムの処理において必要となるデータなどが記憶されている（外部記憶装置に限らず、例えばプログラムを読み出し専用記憶装置であるＲＯＭに記憶させておくこととしてもよい）。また、これらのプログラムの処理によって得られるデータなどは、ＲＡＭや外部記憶装置などに適宜に記憶される。
【００８４】
ハードウェアエンティティでは、外部記憶装置（あるいはＲＯＭなど）に記憶された各プログラムとこの各プログラムの処理に必要なデータが必要に応じてメモリに読み込まれて、適宜にＣＰＵで解釈実行・処理される。その結果、ＣＰＵが所定の機能（上記、…部、…手段などと表した各構成要件）を実現する。
【００８５】
本発明は上述の実施形態に限定されるものではなく、本発明の趣旨を逸脱しない範囲で適宜変更が可能である。また、上記実施形態において説明した処理は、記載の順に従って時系列に実行されるのみならず、処理を実行する装置の処理能力あるいは必要に応じて並列的にあるいは個別に実行されるとしてもよい。
【００８６】
既述のように、上記実施形態において説明したハードウェアエンティティ（本発明の装置）における処理機能をコンピュータによって実現する場合、ハードウェアエンティティが有すべき機能の処理内容はプログラムによって記述される。そして、このプログラムをコンピュータで実行することにより、上記ハードウェアエンティティにおける処理機能がコンピュータ上で実現される。
【００８７】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００８８】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００８９】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００９０】
また、この形態では、コンピュータ上で所定のプログラムを実行させることにより、ハードウェアエンティティを構成することとしたが、これらの処理内容の少なくとも一部をハードウェア的に実現することとしてもよい。
【図１】
2020035255.tif 000003
【図２】
2020035255.tif 000004
【図３】
2020035255.tif 000005
【図４】
2020035255.tif 000006
【図５】
2020035255.tif 000007
【図６】
2020035255.tif 000008
【図７】
2020035255.tif 000009
【図８】
2020035255.tif 000010
【図９】
2020035255.tif 000011
【図１０】
2020035255.tif 000012
【手続補正書】
【提出日】令和1年9月18日(2019.9.18)
【手続補正１】
【補正対象書類名】明細書
【補正対象項目名】０００８
【補正方法】変更
【補正の内容】
【０００８】
ユーザ登録部は、携帯端末からＥＴＣカード番号を含むユーザ登録要求を受信した場合に、ＥＴＣカード番号をユーザデータベースに登録する。入場時刻登録部は、駐車場の入場口に設けられた入場ＥＴＣ路側器からＷＣＮを含む入場ＩＤを受信した場合に、入場時刻を生成してＷＣＮを入場時刻に紐付けてユーザデータベースに登録する。サービスポイント計算部は、店舗端末からＥＴＣカード番号を含むサービス情報を受信した場合に、駐車場の利用料金の割引に関するサービスポイントをＥＴＣカード番号に紐付けてユーザデータベースに登録する。決済情報生成部は、駐車場の出場口に設けられた出場ＥＴＣ路側器からＷＣＮとＥＴＣカード番号を含む出場ＩＤを受信した場合に、出場時刻を生成して、出場ＩＤに含まれるＷＣＮに紐付けられた入場時刻と、出場時刻と、出場ＩＤに含まれるＥＴＣカード番号に紐付けられたサービスポイントに基づいて決済情報を生成する。
【手続補正２】
【補正対象書類名】特許請求の範囲
【補正対象項目名】全文
【補正方法】変更
【補正の内容】
【特許請求の範囲】
【請求項１】
携帯端末からＥＴＣカード番号を含むユーザ登録要求を受信した場合に、前記ＥＴＣカード番号をユーザデータベースに登録するユーザ登録部と、
駐車場の入場口に設けられた入場ＥＴＣ路側器からＷＣＮを含む入場ＩＤを受信した場合に、入場時刻を生成して前記ＷＣＮを前記入場時刻に紐付けて前記ユーザデータベースに登録する入場時刻登録部と、
店舗端末から前記ＥＴＣカード番号を含むサービス情報を受信した場合に、前記駐車場の利用料金の割引に関するサービスポイントを前記ＥＴＣカード番号に紐付けて前記ユーザデータベースに登録するサービスポイント計算部と、
駐車場の出場口に設けられた出場ＥＴＣ路側器から前記ＷＣＮと前記ＥＴＣカード番号を含む出場ＩＤを受信した場合に、出場時刻を生成して、前記出場ＩＤに含まれる前記ＷＣＮに紐付けられた前記入場時刻と、前記出場時刻と、前記出場ＩＤに含まれる前記ＥＴＣカード番号に紐付けられたサービスポイントに基づいて決済情報を生成する決済情報生成部を含む
管理サーバ。
【請求項２】
携帯端末からＥＴＣカード番号と代替ＩＤを含むユーザ登録要求を受信した場合に、前記ＥＴＣカード番号を前記代替ＩＤに紐付けてユーザデータベースに登録するユーザ登録部と、
駐車場の入場口に設けられた入場ＥＴＣ路側器からＷＣＮを含む入場ＩＤを受信した場合に、入場時刻を生成して前記ＷＣＮを前記入場時刻に紐付けて前記ユーザデータベースに登録する入場時刻登録部と、
店舗端末から前記代替ＩＤを含むサービス情報を受信した場合に、前記駐車場の利用料金の割引に関するサービスポイントを前記サービス情報に含まれる前記代替ＩＤに紐付けられた前記ＥＴＣカード番号に紐付けて前記ユーザデータベースに登録するサービスポイント計算部と、
駐車場の出場口に設けられた出場ＥＴＣ路側器から前記ＷＣＮと前記ＥＴＣカード番号を含む出場ＩＤを受信した場合に、出場時刻を生成して、前記出場ＩＤに含まれる前記ＷＣＮに紐付けられた前記入場時刻と、前記出場時刻と、前記出場ＩＤに含まれる前記ＥＴＣカード番号に紐付けられたサービスポイントに基づいて決済情報を生成する決済情報生成部を含む
管理サーバ。
【請求項３】
携帯端末からＥＴＣカード番号を含むユーザ登録要求を受信した場合に、前記ＥＴＣカード番号を代替ＩＤに紐付けてユーザデータベースに登録するユーザ登録部と、
駐車場の入場口に設けられた入場ＥＴＣ路側器からＷＣＮを含む入場ＩＤを受信した場合に、入場時刻を生成して前記ＷＣＮを前記入場時刻に紐付けて前記ユーザデータベースに登録する入場時刻登録部と、
店舗端末から前記代替ＩＤを含むサービス情報を受信した場合に、前記駐車場の利用料金の割引に関するサービスポイントを前記サービス情報に含まれる前記代替ＩＤに紐付けられた前記ＥＴＣカード番号に紐付けて前記ユーザデータベースに登録するサービスポイント計算部と、
駐車場の出場口に設けられた出場ＥＴＣ路側器から前記ＷＣＮと前記ＥＴＣカード番号を含む出場ＩＤを受信した場合に、出場時刻を生成して、前記出場ＩＤに含まれる前記ＷＣＮに紐付けられた前記入場時刻と、前記出場時刻と、前記出場ＩＤに含まれる前記ＥＴＣカード番号に紐付けられたサービスポイントに基づいて決済情報を生成する決済情報生成部を含む
管理サーバ。
【請求項４】
携帯端末からＷＣＮを含むユーザ登録要求を受信した場合に、前記ＷＣＮをユーザデータベースに登録するユーザ登録部と、
駐車場の入場口に設けられた入場ＥＴＣ路側器から前記ＷＣＮを含む入場ＩＤを受信した場合に、入場時刻を生成して前記ＷＣＮを前記入場時刻に紐付けて前記ユーザデータベースに登録する入場時刻登録部と、
店舗端末から前記ＷＣＮを含むサービス情報を受信した場合に、前記駐車場の利用料金の割引に関するサービスポイントを前記サービス情報に含まれる前記ＷＣＮに紐付けて前記ユーザデータベースに登録するサービスポイント計算部と、
駐車場の出場口に設けられた出場ＥＴＣ路側器から前記ＷＣＮを含む出場ＩＤを受信した場合に、出場時刻を生成して、前記出場ＩＤに含まれる前記ＷＣＮに紐付けられた前記入場時刻と、前記出場時刻と、前記出場ＩＤに含まれる前記ＷＣＮに紐付けられたサービスポイントに基づいて決済情報を生成する決済情報生成部を含む
管理サーバ。
【請求項５】
携帯端末からＷＣＮとアプリＩＤを含むユーザ登録要求を受信した場合に、前記ＷＣＮと前記アプリＩＤをユーザデータベースに登録するユーザ登録部と、
駐車場の入場口に設けられた入場ＥＴＣ路側器から前記ＷＣＮを含む入場ＩＤを受信した場合に、入場時刻を生成して前記ＷＣＮを前記入場時刻に紐付けて前記ユーザデータベースに登録する入場時刻登録部と、
店舗端末から前記アプリＩＤを含むサービス情報を受信した場合に、前記駐車場の利用料金の割引に関するサービスポイントを前記サービス情報に含まれる前記アプリＩＤに紐付けて前記ユーザデータベースに登録するサービスポイント計算部と、
駐車場の出場口に設けられた出場ＥＴＣ路側器から前記ＷＣＮを含む出場ＩＤを受信した場合に、出場時刻を生成して、前記出場ＩＤに含まれる前記ＷＣＮに紐付けられた前記入場時刻と、前記出場時刻と、前記出場ＩＤに含まれる前記ＷＣＮに紐付けられたサービスポイントに基づいて決済情報を生成する決済情報生成部を含む
管理サーバ。
【請求項６】
携帯端末からＷＣＮと代替ＩＤを含むユーザ登録要求を受信した場合に、前記ＷＣＮと前記代替ＩＤをユーザデータベースに登録するユーザ登録部と、
駐車場の入場口に設けられた入場ＥＴＣ路側器から前記ＷＣＮを含む入場ＩＤを受信した場合に、入場時刻を生成して前記ＷＣＮを前記入場時刻に紐付けて前記ユーザデータベースに登録する入場時刻登録部と、
店舗端末から前記代替ＩＤを含むサービス情報を受信した場合に、前記駐車場の利用料金の割引に関するサービスポイントを前記サービス情報に含まれる前記代替ＩＤに紐付けて前記ユーザデータベースに登録するサービスポイント計算部と、
駐車場の出場口に設けられた出場ＥＴＣ路側器から前記ＷＣＮを含む出場ＩＤを受信した場合に、出場時刻を生成して、前記出場ＩＤに含まれる前記ＷＣＮに紐付けられた前記入場時刻と、前記出場時刻と、前記出場ＩＤに含まれる前記ＷＣＮに紐付けられたサービスポイントに基づいて決済情報を生成する決済情報生成部を含む
管理サーバ。
【請求項７】
携帯端末からＥＴＣカード番号を含むユーザ登録要求を受信した場合に、前記ＥＴＣカード番号をユーザデータベースに登録するユーザ登録部と、
駐車場の入場口に設けられた入場ＥＴＣ路側器から前記ＥＴＣカード番号を含む入場ＩＤを受信した場合に、入場時刻を生成して前記ＥＴＣカード番号を前記入場時刻に紐付けて前記ユーザデータベースに登録する入場時刻登録部と、
店舗端末から前記ＥＴＣカード番号を含むサービス情報を受信した場合に、前記駐車場の利用料金の割引に関するサービスポイントを前記サービス情報に含まれる前記ＥＴＣカード番号に紐付けて前記ユーザデータベースに登録するサービスポイント計算部と、
駐車場の出場口に設けられた出場ＥＴＣ路側器から前記ＥＴＣカード番号を含む出場ＩＤを受信した場合に、出場時刻を生成して、前記出場ＩＤに含まれる前記ＥＴＣカード番号に紐付けられた前記入場時刻と、前記出場時刻と、前記出場ＩＤに含まれる前記ＥＴＣカード番号に紐付けられたサービスポイントに基づいて決済情報を生成する決済情報生成部を含む
管理サーバ。
【請求項８】
携帯端末からアプリＩＤを含むユーザ登録要求を受信した場合に、前記アプリＩＤをユーザデータベースに登録する第１ユーザ登録部と、
携帯端末からＥＴＣカード番号とアプリＩＤを含むユーザ登録要求を受信した場合に、前記ＥＴＣカード番号を前記アプリＩＤに紐付けてユーザデータベースに登録する第２ユーザ登録部と、
駐車場の入場口に設けられた入場ＥＴＣ路側器からＷＣＮを含む入場ＩＤを受信した場合に、入場時刻を生成して前記ＷＣＮを前記入場時刻に紐付けて前記ユーザデータベースに登録する入場時刻登録部と、
店舗端末から前記アプリＩＤを含むサービス情報を受信した場合に、前記駐車場の利用料金の割引に関するサービスポイントを前記アプリＩＤに紐付けて前記ユーザデータベースに登録するサービスポイント計算部と、
駐車場の出場口に設けられた出場ＥＴＣ路側器から前記ＷＣＮと前記ＥＴＣカード番号を含む出場ＩＤを受信した場合に、出場時刻を生成して、前記出場ＩＤに含まれる前記ＷＣＮに紐付けられた前記入場時刻と、前記出場時刻と、前記出場ＩＤに含まれる前記ＥＴＣカード番号に紐付けられたサービスポイントに基づいて決済情報を生成する決済情報生成部を含む
管理サーバ。
【請求項９】
請求項１から８の何れかに記載の管理サーバであって、
前記サービス情報はショップポイントを含むものとし、
前記サービスポイント計算部は、
前記店舗端末から前記サービス情報を受信した場合に、前記ショップポイントから前記サービスポイントを計算する
管理サーバ。
【請求項１０】
コンピュータを請求項１から９の何れかに記載の管理サーバとして機能させるプログラム。